(57)【要約】【課題】  使用中に映像の乱れが生じず、安定して長時間使用することが可能なスクリーン付きデスクを提供する。【解決手段】  下側から投射された映像を上側に表示するスクリーン面３を有する天板２と、天板２を支持する４個の脚体４Ａ，４Ａ，４Ｂ，４Ｂからなる脚部４とを備え、脚部４が、スクリーン面３以外の領域であってスクリーン面の略中央位置に対応する位置で天板２を支持するとともに、スクリーン面３への投射位置で投影機８を支持する投影機支持手段として支持棚６を有する投影用脚体４Ａを含むものとした。【選択図】図１
2017219816.tif 000002
【特許請求の範囲】
【請求項１】
下側から投射された映像を上側に透過表示するスクリーン面を有する天板と、該天板を支持する単又は複数の脚体からなる脚部とを備え、
該脚部が、前記スクリーン面以外の領域であって前記スクリーン面の所定の一辺における略中央位置に対応する位置で前記天板を支持するとともに、前記スクリーン面への投射位置で投影機を支持する投影機支持手段を有する投影用脚体を含むものであることを特徴とするスクリーン付きデスク。
【請求項２】
前記投影用脚体と前記天板との接合部の固定角度を維持するための補強手段を、前記投影用脚体における前記接合部以外の位置に設けてなる請求項１記載のスクリーン付きデスク。
【請求項３】
前記補強手段が、前記投影用脚体と、これと対向する前記脚体とを連結する連結部材を、前記投影機の投射レンズよりも下側で水平に設けたものである請求項１又は２記載のスクリーン付きデスク。
【請求項４】
前記連結部材が、電子機器の連結用又は電源用コードを案内するための案内部を備えてなる請求項３記載のスクリーン付きデスク。
【請求項５】
前記投影用脚体の前記投影機支持手段により支持される投影機を備えてなる請求項１乃至４のいずれか１項記載のスクリーン付きデスク。
【請求項６】
前記投影機が前記投影機支持手段によって支持された状態において前記所定の一辺に沿う横方向に開放される空冷用の通気口を有し、前記投影用脚体の前記通気口に対応する位置に横方向に開放される孔又は切欠きを設けてなる請求項５記載のスクリーン付きデスク。
【請求項７】
前記脚部が複数の前記脚体よりなり、前記投影用脚体の隣接する前記脚体を前記通気口の正面からずれた位置に設けてなる請求項６記載の映像表示装置付きデスク。
【請求項８】
請求項１乃至７のいずれか１項記載のスクリーン付きデスクに、使用者が着席している状態であっても前記通気口による通気が可能である単又は複数の椅子を設けてなるスクリーン付きデスク椅子セット。
【発明の詳細な説明】
【技術分野】
【０００１】
本発明は、プロジェクタからの投影によって様々な映像、画像等を映し出すことができるスクリーン付きデスクに関し、詳しくは使用中に映像の乱れが生じず、安定して長時間使用することが可能なスクリーン付きデスク及びスクリーン付きデスク椅子セットに関する。
【背景技術】
【０００２】
従来、プロジェクタのスクリーン面を備えたタッチテーブルとして、テーブル本体は、複数の側面上に設けられた複数のサイドパネルと、側面上に設けられた引き戸と、底板とを有し、底板上には、プロジェクタ、光源及び映像音声入出力インタフェースが配置され、プロジェクタから出射された可視光及び赤外光が、プロジェクタによりタッチテーブルトップへ均一に投射されるものがある（特許文献１参照）。
このタッチテーブルは、テーブル内に収納空間を設けたことで、この収納空間にプロジェクタの他、コンピュータ本体などを載置して使用することができるものである。
【０００３】
また、天板にスクリーンパネルを有する対面式デスクとして、天板とこの天板を支える脚部を備え、脚部に形成された床側空間にプロジェクタを含む画像表示装置が配置されたものがある（特許文献２参照）。
この対面式デスクは、上記構成により、天板のスクリーンパネルにプロジェクタからの投影画像を表示することができるものである
【０００４】
しかし、この特許文献１及び２記載のものは、何れもデスク内の密閉された空間に、プロジェクタやコンピュータ等の電子機器を収納するものであり、これらの使用中に生じる熱への対策がなされておらず、特に長時間の使用には問題が生じる可能性の高いものとなっていた。
ここで、電子機器の放熱のためには、一部が開放された状態でこれらをデスク内に収納する必要があるが、そのまま側板を取り除いて開放状態とすると、デスク自体の強度が損なわれて、プロジェクタの載置部分とスクリーン部分との固定強度の不足により、これらが互いに揺動し、投影される映像に乱れが起こるといったスクリーンに関する重大な問題が生じるといった課題があった。
【先行技術文献】
【特許文献】
【０００５】
【特許文献１】実用新案登録第３１６８６１１号公報
【特許文献２】実用新案登録第３１３７３４５号公報
【発明の概要】
【発明が解決しようとする課題】
【０００６】
本発明が前述の状況に鑑み解決しようとするところは、使用中に映像の乱れが生じず、安定して長時間使用することが可能なスクリーン付きデスクを提供する点にある。
【課題を解決するための手段】
【０００７】
本発明に係るスクリーン付きデスクは、前記課題解決のために、下側から投射された映像を上側に透過表示するスクリーン面を有する天板と、該天板を支持する単又は複数の脚体からなる脚部とを備え、該脚部が、前記スクリーン面以外の領域であって前記スクリーン面の所定の一辺における略中央位置に対応する位置で前記天板を支持するとともに、前記スクリーン面への投射位置で投影機を支持する投影機支持手段を有する投影用脚体を含むものである。
【０００８】
また、前記投影用脚体と前記天板との接合部の固定角度を維持するための補強手段を、前記投影用脚体における前記接合部以外の位置に設けてなるものであってもよい。
【０００９】
さらに、前記補強手段が、前記投影用脚体と、これと対向する前記脚体とを連結する連結部材を、前記投影機の投射レンズよりも下側で水平に設けたものとすることができる。
【００１０】
さらにまた、前記連結部材が、電子機器の連結用又は電源用コードを案内するための案内部を備えてなるものであると好ましい。
【００１１】
また、前記投影用脚体の前記投影機支持手段により支持される投影機を備えてなるものであると更に好ましい。
【００１２】
さらに、前記投影機が前記投影機支持手段によって支持された状態において前記所定の一辺に沿う横方向に開放される空冷用の通気口を有し、前記投影用脚体の前記通気口に対応する位置に横方向に開放される孔又は切欠きを設けてなるものであってもよい。
【００１３】
また、前記脚部が複数の前記脚体よりなり、前記投影用脚体の隣接する前記脚体を前記通気口の正面からずれた位置に設けることもできる。
【００１４】
使用者が着席している状態であっても前記通気口による通気が可能である単又は複数の椅子を設けてなるスクリーン付きデスク椅子セットとして構成してもよい。
【発明の効果】
【００１５】
本発明に係るスクリーン付きデスクによれば、スクリーン面が硝子等の重い素材を含むものであっても、投影用脚体がスクリーン面以外の領域であってスクリーン面の中央に対応する位置で天板を支持するため、スクリーン面を含む天板を安定して支持することができるとともに、天板が撓むことを防止することができる。
また、横方向においてスクリーン面の中央に投影機を配置することで、横方向のズレがない又は少ない角度からスクリーン面に対して映像を投射することとなるため、スクリーン面に対して鮮明な映像を映し出すことが容易となる。
このため、簡易な構成でありながら、平滑なスクリーン面と、投影機からの適切な投影角度とを確保し、鮮明な映像を映し出すことができる。
【００１６】
また、前記投影用脚体と前記天板との接合部の固定角度を維持するための補強手段を、前記投影用脚体における前記接合部以外の位置に設けてなると、この投影用脚体と天板との固定角度に動きがあると、投影される映像にもブレやズレ等の乱れが生じるが、これらの接合部以外の位置で補強手段を設けて強固な固定とすることで、映像の乱れを防止し、結果として安定した映像を映し出すことができる。
【００１７】
さらに、前記補強手段が、前記投影用脚体と、これと対向する前記脚体とを連結する連結部材を、前記投影機の投射レンズよりも下側で水平に設けたものによれば、連結部材が投影の妨げとならず、適切な投影路を確保することができるとともに、投影用脚体と天板との固定の十分な補強を容易に行なうことができる。また、水平に連結部材が設けられているため、デスク内で棚板として利用することもできる。
【００１８】
また、前記連結部材が、電子機器の連結用又は電源用コードを案内するための案内部を備えてなるものであるものによれば、これらのコードが邪魔にならないように整理することができ、特に椅子を用いて着席して使用する場合であっても、着席した者の足がこれらのコードに引っ掛かり、断線してしまうといった問題が生じることもない。
【００１９】
さらに、前記投影機が前記投影機支持手段によって支持された状態において前記所定の一辺に沿う横方向に開放される空冷用の通気口を有し、前記投影用脚体の前記通気口に対応する位置に横方向に開放される孔又は切欠きを設けてなるものによれば、投影機の空冷を妨げず、長時間にわたる使用であっても投影機が想定された温度を超えて高温となってしまう心配がなく、安定して使用することができる。
【００２０】
また、前記脚部が複数の前記脚体よりなり、前記投影用脚体の隣接する前記脚体を前記通気口の正面からずれた位置に設けてなるものによれば、投影用脚体以外の脚体が影機の空冷を妨げることなく、空冷の高い効果を得ることができ、長時間のおける使用の信頼性を向上することができる。
【図面の簡単な説明】
【００２１】
【図１】本発明の実施形態に係るスクリーン付きデスクの構成を示す斜視図である。
【図２】同じくスクリーン付きデスクの構成を示すＡ−Ａ線断面図である。
【図３】同じくスクリーン付きデスクの構成を示すＢ−Ｂ線断面図である。
【図４】同じくスクリーン付きデスクの通気性を示す平面図である。
【図５】本発明の別の実施形態に係るスクリーン付きデスク椅子の構成を示す断面図である。
【図６】本発明の実施形態に係るスクリーン付きデスク椅子セットの構成を示す斜視図である。
【発明を実施するための形態】
【００２２】
以下、本発明の実施形態を添付図面に基づき詳細に説明するが、本発明は、添付図面に示された形態に限定されず特許請求の範囲に記載の要件を満たす実施形態の全てを含むものである。また、本明細書において、スクリーン面の長手方向を横（左右）方向とする。
【００２３】
本発明に係るスクリーン付きデスク１の実施形態を、図１乃至図４に沿って説明する。
図１乃至図３に示すように、スクリーン付きデスク１は、下側から投射された映像を上側に表示するスクリーン面３を有する天板２と、天板２を支持する４個の脚体４Ａ，４Ａ，４Ｂ，４Ｂからなる脚部４とを備え、脚部４が、スクリーン面３以外の領域であってスクリーン面長手方向における略中央で天板２を支持するとともに、スクリーン面３への投射位置で投影機８を支持する投影機支持手段（支持棚６）を有する投影用脚体４Ａを含むものである。
【００２４】
ここで、映像表示装置付きデスク１は、会議用デスクとして図示しているが、このようなデスクに限らず、一人用デスクや食卓用テーブルのようなものであってもよく、また、天板が水平に支持されるものに限らず、傾斜しているものや全体又は一部が立体的に湾曲しているものであってもよく、一般的にデスクや机、テーブルと称されるものの他、特殊な用途、形状のものであってよい。
【００２５】
天板２は、外形が略長方形状の平板であって、中央にスクリーン面３が設けられている。詳しくは、天板２の中央に略矩形の孔が設けられ、この孔を形成する周縁には、下側が内方に突出する段部が設けられて、スクリーン面３がこの段部に掛ることで、スクリーン面３が天板２に取り付けられている。この段差から天板上面までの寸法は、スクリーン面３の高さ寸法と略同一に形成されているため、この天板２とスクリーン面３は夫々の上面が面一となっている。このため、これらの境界に段差は生じず、全体としてフラットな上面が形成されている。
【００２６】
スクリーン面３は、透過性のある平板の下面にスクリーンシートが貼付され形成されている。このため、一定の強度を有しながらもスクリーン面３を保護しつつ綺麗な映像を映し出すことができるものとなっている。また、スクリーン面３の全ての周縁が天板２の孔に設けた段差によって支持されているため、脱落の危険はなく、強度も高いものとして構成されている。スクリーン面３の平板は硝子で形成しているため、安価に高い強度と適切な透過性を得ることができる。スクリーン面３を含む天板２は、脚部４によって支持されている。
【００２７】
ここで、スクリーン面３は、少なくとも投影機８から投射される映像を写し出すことができるものであれば他の構成によるものであってもよく、例えばこのスクリーンシートとしてタッチ操作を行うことができるものを採用すると、スクリーン面３に表示された画像に対して書き込みや修正等を直接行うことができるものとなるし、また、磁性を有するものを採用すると、スクリーン面３をマグネットボードとしても利用することができる。また、スクリーン面３は、下側から投射された映像を上側へ映し出すものであれば透過性の程度は問わず、透明なものであっても不透明なものであってよい。
【００２８】
脚部４は、４個の脚体４Ａ，４Ａ，４Ｂ，４Ｂよりなる。これらの脚体４Ａ，４Ａ，４Ｂ，４Ｂは、略長方形状の天板２を、その周縁であって、長手方向の中央で対向するように配置された投影用脚体４Ａ，４Ａと、短手方向の中央で対向するように配置された脚体４Ｂ，４Ｂで天板２を支持するものである。このため、重い天板２の撓みを防止しながら安定して支持することができるものとなっている。
【００２９】
投影用脚体４Ａは、投影機支持手段として内側に支持棚６が設けられるとともに、上端には水平で幅広な天板支持部が設けられている。この天板支持部が天板２の枠を左右方向の中央で支持するため、天板からの荷重を分散しつつ、投影用脚体４Ａに対する天板２の揺動を防止する。
【００３０】
投影用脚体４Ａの支持棚６には、プロジェクタ等の投影機を載置することができるが、ここで、支持棚６が水平でフラットな棚板として設けられているため、縦横寸法の異なる投影機８であっても載置することができ、また、パーソナルコンピュータ等の電子計算機Ｐや投影用映像の制御機器等を載置することができる。本実施形態では、同一形状の投影用脚体４Ａを対向して設けられ、一方に投影機８を、他方に電子計算機Ｐが載置されている。これによって、投影するために必要な機器を全て投影用脚体４Ａの支持棚６に載置することができ、天板２上やデスク内の床面に機器を載置することなく、整理された状態で使用することが可能となっている。
また、支持棚６は、投影用脚体４Ａの上下方向における中央よりも下側に設けられているため、この支持棚６に載置された各機器の重量によって、投影用脚体４Ａの重心を低くし、投影用脚体４Ａ自身が安定化し、結果として映像表示装置付きデスク１を安定化するものとなっている。
【００３１】
投影用脚体４Ａは、左右の両端で内側に突出する補強片が設けられ、上端で内側に突出する受片が設けられている。これらの補強片及び受片は略同一の幅寸法であるが、左右の補強片には支持棚６の上側から上端近傍まで角丸コ字状に形成された切欠き５が設けられている。このため、支持棚６に載置された投影機８の空冷用の通気口９が塞がれず、投影機８の空冷が適切に行われる。また、この切欠き５は、投影機８に限らず支持棚６に載置される電子計算機Ｐやバッテリー等の電子機器の放熱を促し、各機器が長時間にわたり問題なく作動することができるものとなっている。
【００３２】
脚体４Ｂは、略台形状の平板として形成されたものであって、これが天板２のスクリーン面３以外であって短手方向における中央位置に対応する位置に、対向するように1対設けられている。この脚体４Ｂは、天板２の短手方向の寸法よりも十分に小さく形成されているため、天板２下における脚体４Ｂの前後には空間が形成され、この空間によって、投影用脚体４Ａに取り付けられた投影機８等の電子機器の空冷効果がより高いものとなっている。この空冷効果の向上のためには、脚体４Ｂの前後方向の寸法は、天板２の前後方向の寸法に対して約半分以下の寸法とすることで、この空間を広くすることが好ましく、また、天板２の前後方向の寸法の約３分の１とすることで更に通気性を向上することも可能である。このとき、この脚体４Ｂが天板２の短手方向における中央位置に対応する位置で天板２を支持するため、脚体４Ｂが前後方向の寸法の小さいものであっても、比較的安定して天板２を支持することができる。
【００３３】
ここで、投影用脚体４Ａ、脚体４Ｂは何れも木製であって、図１に示すように、支持棚６及びこの支持棚６に載置される投影機８等の電子機器は外側からほとんど見えない構成となっているため、外観上は通常のデスクに近いものとなり、美しい外観を有するものとすることができる。
【００３４】
対向する投影用脚体４Ａ，４Ａは、帯板状の連結部材７Ａで連結されている。この連結部材７Ａは、投影用脚体４Ａと天板２との接合部の固定角度を維持するための補強手段であって、投影用脚体４Ａにおける接合部以外の位置に設けられているものである。この連結部材７Ａは投影用脚体４Ａの支持棚６に両端が接合されることで、二つの投影用脚体４Ａが連結されている。ここで、この連結部材７Ａと支持棚６との上面は同一の平面を形成するようにフラットに接合されているため、支持棚６よりも前後方向に寸法の大きい電子機器であっても、支持棚６と連結部材７Ａとによって支持されることで、転落することなく、支持されることとなる。また、この連結部材７Ａには、電子機器の電源用又は接続用コードＣを案内する案内部９が設けられている。この案内部９は連結部材７Ａの下面に沿ってコードＣを保持可能であるため、コードＣを見えないように配置させることができる。なお、この案内部９は、連結部材７内に通路を設けて構成したものや連結部材に凹溝を設けて構成したものであってもよい。
【００３５】
また、同様に対向する脚体４Ｂ，４Ｂも、帯板状の連結部材７Ｂで連結されている。この連結部材７Ｂは、投影用脚体４Ａの連結部材７Ａを略中央位置で支持するものとして構成されているため、連結部材７Ａを介して投影用脚体４Ａにも連結されることで、スクリーン付きデスク１全体の強度を高くするものとなっている。さらに、これらの連結部材７Ａ、７Ｂは、各方向における略中央位置で対向する投影用脚体４Ａ，４Ａ又は脚体４Ｂ，４Ｂを平面視において十字状に連結するものとして構成されているため、天板２下の空間を略均等に分割するとともに、投影用脚体４Ａの両側に椅子が配置された場合であってもこの椅子に着席した者の邪魔にならないものとなっている。このため、スクリーン付きデスクに椅子がセットされたものとしてより好適な構成である。
【００３６】
ここで、連結部材７は、投影用脚体４Ａと天板２との固定角度を維持するためにこれらの接合を補強するものであれば、図１乃至４に示す形態に限らず、種々のものを選択することができるが、図５に示すように、投影機支持手段である支持棚６によって支持される投影機８の投射レンズ８ｃよりも下側から前記対向する投影用脚体４Ａの上端部や天板２に斜めに設けた連結部材７Ｃであってもよく、このような構成のスクリーン付きデスク１Ａによれば、投影用脚部と天板と連結部材とを三角形状とする補強となるため、投影用脚体と天板との固定をより確実なものとすることができる。
【００３７】
一方の投影用脚体４Ａの支持棚６には、投影機８が載置されている。投影機８には、空冷用ファンが内蔵され、この空冷用ファンが作動することによって、投影機８の一方の側面に設けられた空気の通気口（導入口）８ａから外部の空気が投影機８内に吸い込まれるとともに、投影機８内の空気が他方の側面に設けられた空気の通気口（導出口）８ｂから投影機８の外部へと排出される。この空気の流れによって投影機８内は冷却され、高温となることによる故障等の発生を防止するものであり、特に長時間の使用で高温となりやすい投影機８においては重要な機能となっている。ここで、支持棚６に載置された投影機８は、図４に示すように、その通気口８ａ，８ｂの通気の方向に、切欠き５が設けられることで通気性が確保され、また、この投影機８が載置されている投影用脚体４Ａに隣接する脚体４Ｂ，４Ｂが通気口８ａ，８ｂからずれた位置、つまり側面視において通気口８ａ，８ｂに重ならない位置に設けられていることで、通気の妨げとならない構成となっている。
【００３８】
なお、投影機８の空冷用の通気口は、その通気が可能なものであれば他の態様であってもよく、例えば、スクリーン付きデスク１の外方に向かって通気するものでもよく、この場合には、この通気口に対応する位置に孔を設けたものとし、スクリーン付きデスク１の外側に直接通気するものとしてもよい。この孔は、例えば、本実施形態の投影用脚体にも設けられた他の電子機器との接続用端子のための孔を利用するものであってもよい。
【００３９】
ここで、天板２のスクリーン面３以外の部分、脚部４は木製であるため、スクリーン付きデスク１として、他の金属製、樹脂製のものとはデザイン上の大きく異なる印象を与えるものとなっているが、木製とすることによる課題として、素材の割れや反りが存在するところ、これらの問題については以下の対応が可能である。
まず、素材の割れは、吸湿及び乾燥を繰り返すことによって、起こる木材特有の問題であるが、天板２のスクリーン面３以外の部分の下面に、長手方向及び短手方向にのびる凹溝を形成することで、割れを防止することができる。ここで、この凹溝を天板２のスクリーン面３以外の部分の下面に環状に設けて、各電子機器を接続するコードの収納用として用いるものとしてもよい。
次に、反りに対しては、各脚体４が天板２のスクリーン面３以外の領域であって縦横方向の中央位置に対応する位置で、天板２を支持するものであることで軽減することができ、また、平滑で剛性が高く且つ重いスクリーン面３を天板２の略中心で、スクリーン面３の略全周縁が天板２によって支持するものとして構成されているため、反りがより生じ難いものとなっている。
【００４０】
図６には、本実施形態のスクリーン付きデスクに椅子Ｃｈを更に設けたスクリーン付きデスク椅子セットの構成を示す。図示するように、各椅子Ｃｈは細い帯板状の脚を設けてなるものであって、これらの脚は投影機８の通気を妨げるものではないため、椅子の収納状態及び使用状態であっても、スクリーン付きデスクの通気機能を安定して発揮することができるものとなっている。
【００４１】
なお、本実施形態では、天板やスクリーン面は略長方形のものとして構成されているが、これに限らず、天板やスクリーン面は正方形や円形、楕円などであってもよく、一枚の無垢板を利用して構成されたものであってもよい。また、スクリーン面は平らなものとして説明しているが、凹凸を有する面や曲面であってもよく、表示映像や用途に合わせてその形状を変形することができるものであってもよい。また、各電子機器の接続は、有線又は無線の何れでもよい。さらに、スクリーン面やスクリーン面以外のデスクは、木材等の説明したものに限らず、種々のものを適宜選択することができ、また、各構成についても本実施形態に限定されるものではなく、例えば、スクリーン面や天板や脚部を一体的なものとして構成したものとしてもよい。
【符号の説明】
【００４２】
１     スクリーン付きデスク
２     天板
３     スクリーン面
４     脚部
４Ａ   投影用脚体
４Ｂ   脚体
５     切欠き
６     支持棚
７     連結部材
７Ａ   連結部材（投影用脚体４Ａを連結するもの）
７Ｂ   連結部材（脚体４Ｂを連結するもの）
７Ｃ   連結部材
８     投影機
８ａ   通気口（導入口）
８ｂ   通気口（導出口）
８ｃ   投射レンズ
９     案内部
Ｐ     電子計算機
Ｃ     コード
Ｃｈ   椅子
【図１】
2017219816.tif 000003
【図２】
2017219816.tif 000004
【図３】
2017219816.tif 000005
【図４】
2017219816.tif 000006
【図５】
2017219816.tif 000007
【図６】
2017219816.tif 000008